(57)【要約】【課題】天井パネルと壁パネルの連結を作業性よく行なえるビス、ビスねじ込み用治具、さらに上記連結部を目隠しするための天井回り縁を提供する。【解決手段】カップ型のガイド２を備えたビス１であって、該ガイド２の底部中央を該ビス１が挿通しており、上記ビスの頭部１２は上記ガイド２の底部に現れているとともに、上記ビスのネジ部１１は上記ガイド２の底部裏側に突出し、上記ガイド２はドライバーのビットＢを保持するようにされたガイド２付きビス１。好ましくは、上記カップ型のガイド２が軟質樹脂材料から構成される。【選択図】図１
2004132523.tif 000002
【特許請求の範囲】
【請求項１】
カップ型のガイドを備えたビスであって、該ガイドの底部中央を該ビスが挿通しており、上記ビスの頭部は上記ガイドの底部に現れているとともに、上記ビスのネジ部は上記ガイドの底部裏側に突出し、上記ガイドはドライバーのビットを保持するようにされたガイド付きビス。
【請求項２】
上記カップ型のガイドが軟質樹脂材料からなる請求項１に記載のガイド付きビス。
【請求項３】
ビスをねじ込む際に用いる治具であって、付勢手段によって、通常、閉じているくちばし状の一対の先端部と、この先端部の反対方向に配設され、上記先端部を軸を支点として開閉するための握り部とからなり、上記先端部はビスを保持するとともに、上記握り部を通してドライバーのビットが挿入可能とされたビスねじ込み用治具。
【請求項４】
天井パネルと壁パネルとの連結部に嵌装される回り縁であって、該回り縁は、その中央部に溝部が凹設された側断面略コの字形とされているとともに、上記溝部を構成する上辺の上部にはその長手方向に沿って上部係止部が突設され、下辺の下部にはその長手方向に沿って下部係止部が突設された天井回り縁。
【請求項５】
上記天井回り縁が樹脂成形品である請求項４に記載の天井回り縁。
【発明の詳細な説明】
【０００１】
【発明の属する技術分野】
本発明は、ビス、ビスねじ込み用治具及び天井回り縁に関する。さらに詳しくは、浴室ユニット等の天井パネルと、壁パネルとを連結する際に用いられるビス、ビスねじ込み用治具及び天井回り縁に関する。
【０００２】
【従来の技術】
従来、浴室ユニット等において、ユニットの軽量化を図るとともに、取付け工事の効率化を図るため、天井、壁等をパネル化して、施工現場でこれらのパネルを組み立てる構造が提案されている（例えば、特許文献１参照。）。上記構造の天井パネルと壁パネルとは、本願図７に示す側断面図から明らかなように、ネジ部１１と頭部１２とからなるビス１を用い、天井パネル３の連結片３１と、壁パネル４を支持する枠体５の上部に突設された連結片５１とをビス留めして連結されている。連結後は、本願図８に示すように、外部からビスの頭部１２等を目隠しするとともに、そのデザイン性を高めるために上記連結部に天井回り縁６が嵌装される。
【０００３】
上記ビス１は、首下長さが約１０ｍｍ程度の比較的小さなビスが用いられることが多く、しかも、図７、図８からよくわかるように、天井パネル３と壁パネル４とのコーナーのスペースに余裕のない場所で、このビス１を指で支えた状態で、該ビスを見上げながらビス留めする作業は困難で、しばしば、ビス１を落とし、作業性が悪いという問題がある。この問題を解決するため、スクリュウービスの十字溝の中心部に小穴を設け、この小穴に嵌挿する小突起を備えたドライバーと、上記スクリュービスとをセットで用いる方法が提案されている（例えば、特許文献２参照。）。
【０００４】
【特許文献１】
特開平７−２５２９０７号公報（第４−５頁、第２２、２３図）
【特許文献２】
実開昭６３−１７９０６９号公報（第１頁、第７図）
【０００５】
【発明が解決しようとする課題】
上記問題を解決するためには、首下の長いビスを用いればよいのであるが、ビス留め後、ネジ部１１の先端部が駆体側に飛び出すため、該躯体と浴室ユニット等との間に発生する無駄なスペースが大きくなり、建築スペースの有効利用という面からみて好ましくない。本発明は上記課題を解決して、浴室ユニット等の天井パネル３と壁パネル４との連結を作業性よく施工できるビス、ビスねじ込み用治具及び上記連結部を目隠しするための天井回り縁を提供することをその課題とする。
【０００６】
【課題を解決するための手段】
本発明は、上記課題を解決するために考え出されたものであって、つぎのような技術的手段を講じている。すなわち、本願第１発明によれば、カップ型のガイドを備えたビスであって、該ガイドの底部中央を該ビスが挿通しており、上記ビスの頭部は上記ガイドの底部に現れているとともに、上記ビスのネジ部は上記ガイドの底部裏側に突出し、上記ガイドはドライバーのビットを保持するようにされたガイド付きビスが提供される。このように構成されているので、上記カップ型のガイドにドライバーのビットを保持させ、ビスをねじ込むことが可能となり、浴室ユニットの天井パネルと壁パネルとの連結等、作業位置が悪く、十分なスペースのない場所での作業を効率よく行なうことができる。
【０００７】
上記カップ型のガイドは、軟質樹脂材料からなることが好ましい。軟質ポリ塩化ビニル、低密度ポリエチレン等の軟質樹脂を用いて上記カップ型のガイドを構成すれば、上記カップが延伸性を有するため、ドライバーのビットをしっかりと保持し、上記ビスのねじ込み作業を効率よく行なうことができる。
【０００８】
本願第２発明によれば、ビスをねじ込む際に用いる治具であって、付勢手段によって、通常、閉じているくちばし状の一対の先端部と、この先端部の反対方向に配設され、上記先端部を軸を支点として開閉するための握り部とからなり、上記先端部はビスを保持するとともに、上記握り部を通してドライバーのビットが挿入可能とされたビスねじ込み用治具が提供される。この治具を用いることにより、浴室ユニットの天井パネルと壁パネルとの連結等、作業位置が悪く、スペースのない場所での作業を効率よく行なうことができる。
【０００９】
本願第３発明によれば、天井パネルと壁パネルとの連結部に嵌装される回り縁であって、該回り縁は、その中央部に溝部が凹設された側断面略コの字形とされているとともに、該溝部を構成する上辺の上部にはその長手方向に沿って上部係止部が突設され、下辺の下部にはその長手方向に沿って下部係止部が突設された天井回り縁が提供される。このようにすることにより、上記溝部がビスの頭部を収容する形態となり、天井回り縁全体の厚みを小さくして省スペース化を図ることができる。
【００１０】
上記天井回り縁は樹脂成形品であることが好ましい。ＡＢＳ樹脂、ポリプロピレン等の成形品を用いることにより、上記上部係止部と下部係止部とが、天井パネルと壁パネルとの連結部に、弾性的に、しっかりと嵌め込まれるため、浴室ユニット構造の強度を大きくすることができる。
【００１１】
【発明の実施の形態】
以下、本願第１発明の好ましい実施の形態について、図面を参照して、さらに詳細に説明する。図１に示す斜視図は、ガイド２を備えたビス１であって、ガイド２は、カップ型の軟質樹脂製であり、その底部中央をビス１が挿通するとともに、ビスの頭部１２が現れ、底部裏側にはネジ部１１が突出している。図２は、上記ガイド２付きビス１を浴室ユニットの天井パネル３と壁パネル４とを連結するために、ねじ込む状態を示す側断面図である。
【００１２】
図２からよくわかるように、ガイド２の内径は、電動ドライバーのビットＢの外径と略同一とされ、ビットＢの先端をガイド２内に差し込めば、ガイド２は、軟質樹脂製で延伸性があるため、上記ビットＢをしっかりと保持する。この状態で、天井パネル３の連結片３１と、壁パネル４の連結片５１とをビス留めすれば、ビス１が外れることなく、天井パネル３と壁パネル４とをしっかりと連結することができる。ビス１のねじ込み作業が終了すれば、ガイド２をビス１とともに残し、ビットＢを外せばよい。
【００１３】
図３は、上記ガイド２付きビス１の変形例を示す斜視図である。図３からよくわかるように、本実施形態においては、ガイド２の底部裏面にスペーサー部２１が延設されている。このようにすることにより、首下の長いビスを用いても、スペーサー部２１の長さ分だけ、天井パネル３の連結片３１から突き出るネジ部１１の寸法を短くすることできる。その結果、駆体側に飛び出すネジ部１１の長さが短くなり、浴室ユニットの据付け用スペースを小さくすることが可能となる。したがって、本実施形態にかかるガイド２付きビス１を用いれば、首下の長いビスを用いても、作業性よく、天井パネル３と壁パネル４とを連結することができるとともに、建築スペースを有効に使うことができる。
【００１４】
上記本願第１発明にかかるガイド２付きビス１については、ガイド２とビス１とが一体的に構成されている場合について述べたが、これらを別々に構成し、使用時に一体としてもよい。例えば、ステンレス製のビス１と、軟質樹脂製のガイド２とを別体とし、使用時に、このガイド２の底部中央をビス１で挿通させ、このビス１の頭部１２をガイド２の底部に現わす形態としてもよい。このような形態も本願第１発明の技術的範囲に属する。
【００１５】
本願第２発明は、ビス１をねじ込む際に用いる治具７であって、図４に示す斜視図から明らかなように、付勢手段として用いたバネ（図示せず）によって、通常は閉じている一対のくちばし状の先端部７１と、この先端部７１の反対方向に配設され、上記先端部７１を、軸７３を支点として開閉するための握り部７２とから構成される。図４からよくわかるように、上記先端部７１にはビスの頭部１２を保持するビス係止部７１１が設けられており、握り部７２を握れば、軸７３を支点として、上記バネの反発力に抗して先端部７１が開く。
【００１６】
以下図５に示す側断面図により、本願第２発明にかかるビスねじ込み用治具７の動作について説明する。まず、握り部７２を握り、先端部７１を開いてビスの頭部１２をビス係止部７１１に係止させる。この段階で手を放せば、頭部１２はバネで付勢された先端部７１によってしっかりと保持される。ついで、電動ドライバーのビットＢを、握り部７２から挿入して、ビスの頭部１２にあてがい、ビットＢを回転させて、ビス１をある程度締め込む。この段階で、ビス１は仮固定されるため、ビットＢを除き、また、握り部７２を握ってビス係止部７１１とビスの頭部１２との係合を解除する。最後に電動ドライバーのみで本締めを行なう。このようにすれば、上記した浴室ユニットの天井パネル３と壁パネル４とを連結するときのように、見上げる位置で作業しなければならない等、作業位置が悪く、また、作業スペースが十分でない場合でも、本治具７を用いることにより、ビス１を落とすことなく、効率よく、作業することができる。
【００１７】
つぎに、本願第３発明は、上記のようにして連結された天井パネル３と壁パネル４との連結部を外部から目隠しするとともに、そのデザイン性を高めるために用いる天井回り縁８であって、図６に示す側断面図からよくわかるように、側断面略中央部には溝部８１が凹設されているとともに、該溝部８１を構成する上辺８２の上部には天井回り縁８の長手方向に沿って上部係止部８２１が突設され、下辺８３の下部には天井回り縁８の長手方向に沿って下部係止部８３１が突設されている。図６からよくわかるように、上辺８２及び下辺８３のビスの頭部１２との当接部はカットされているため、このカットによって生じた空間と溝部８１とが、上記頭部１２を収容する形態となり、天井回り縁８全体の厚さを小さくすることができる。その結果、公知のビス１や本願第１発明にかかるガイド２付きビス１を用いた場合においても、本願第３発明にかかる天井回り縁８を好ましく使用することができる。
【００１８】
【発明の効果】
以上述べたように、本願第１発明にかかる請求項１に記載の発明は、カップ型のガイド２を備えたビス１であって、該ガイド２の底部中央を該ビス１が挿通しており、上記ビスの頭部１２は上記ガイド２の底部に現れているとともに、上記ビスのネジ部１１は上記ガイド２の底部裏側に突出し、上記ガイド２はドライバーのビットＢを保持するようにされたガイド２付きビス１である。このように構成されているので、上記カップ型のガイド２にドライバーのビットＢを保持させ、ビス１をねじ込むことが可能となり、浴室ユニットの天井パネル３と壁パネル４との連結等、作業位置が悪く、スペースが十分にない場所での作業を効率よく行なうことができる。
【００１９】
請求項２に記載の発明は、上記カップ型のガイド２が、軟質樹脂材料から構成される。このようにすることにより、請求項１に記載の発明の効果に加えて、軟質樹脂を用いて構成されたカップが延伸性を有するため、ドライバーのビットＢをしっかりと保持し、上記ビスのねじ込み作業を効率よく行なうことができる。
【００２０】
本願第２発明にかかる請求項３に記載の発明は、ビス１をねじ込む際に用いる治具７であって、付勢手段によって、通常、閉じているくちばし状の一対の先端部７１と、この先端部７１の反対方向に配設され、上記先端部７１を軸７３を支点として開閉するための握り部７２とからなり、上記先端部７１はビス１を保持するとともに、上記握り部７２を通してドライバーのビットＢが挿入可能とされたビスねじ込み用治具７である。この治具７を用いることにより、浴室ユニットの天井パネル３と壁パネル４との連結等、作業位置が悪く、スペースのない場所での作業を効率よく行なうことができる。
【００２１】
本願第３発明にかかる請求項４に記載の発明は、天井パネル３と壁パネル４との連結部に嵌装される回り縁であって、該回り縁は、その中央部に溝部８１が凹設された側断面略コの字形とされるとともに、該溝部８１を構成する上辺８２の上部にはその長手方向に沿って上部係止部８２１が突設され、下辺８３の下部にはその長手方向に沿って下部係止部８３１が突設された天井回り縁８である。このようにすることにより、上記溝部８１がビスの頭部１２を収容する形態となり、天井回り縁８全体の厚みを小さくして省スペース化を図ることができる。
【００２２】
請求項５に記載の発明は、上記天井回り縁８が樹脂成形品とされる。樹脂成形品を用いることにより、請求項４に記載の発明の効果に加えて、上部係止部８２１と下部係止部８３１とが、天井パネル３と壁パネル４との連結部に、弾性的に、しっかりと嵌め込まれるため、浴室ユニット構造の強度を大きくすることができる。
【図面の簡単な説明】
【図１】本願第１発明にかかるガイド付きビスの斜視図である。
【図２】上記ガイド付きビスをねじ込む状態を示す側断面図である。
【図３】上記ガイド付きビスの変形例を示す斜視図である。
【図４】本願第２発明にかかるビスねじ込み用治具を示す斜視図である。
【図５】上記ビスねじ込み用治具の動作を説明する側断面図である。
【図６】本願第３発明にかかる天井回り縁を示す側断面図である。
【図７】天井パネルと壁パネルとをビスで連結する公知の構造を示す側断面図である。
【図８】上記連結部分に公知の天井回り縁を装着した構造を示す側断面図である。
【符号の説明】
１　　　　ビス
１１　　　ネジ部
１２　　　頭部
２　　　　ガイド
２１　　　スペーサー部
３　　　　天井パネル
３１　　　天井パネル連結片
４　　　　壁パネル
５　　　　枠体
５１　　　壁パネル連結片
６　　　　公知の天井回り縁
７　　　　ビスねじ込み用治具
７１　　　上記先端部
７１１　　上記ビス係止部
７２　　　上記握り部
７３　　　上記軸
８　　　　第３発明にかかる天井回り縁
８１　　　上記に凹設された溝部
８２　　　上記溝部を構成する上辺
８２１　　上記上部係止部
８３　　　上記溝部を構成する下辺
８３１　　上記下部係止部
Ｂ　　　　ビット
【図１】
2004132523.tif 000003
【図２】
2004132523.tif 000004
【図３】
2004132523.tif 000005
【図４】
2004132523.tif 000006
【図５】
2004132523.tif 000007
【図６】
2004132523.tif 000008
【図７】
2004132523.tif 000009
【図８】
2004132523.tif 000010